(57)【特許請求の範囲】
【請求項１】
露光用の開口部を備えた基板と、前記開口部の絞り位置と退避位置との間を移動可能に配された絞り羽根と、前記開口部の開放位置と閉鎖位置との間を移動可能に配されたシャッタ羽根と、シャッタ羽根及び絞り羽根を駆動制御する駆動制御機構とを備えたカメラ用シャッタ装置であって、
前記駆動制御機構は、前記シャッタ羽根及び絞り羽根を連動させて駆動し得る単一の電磁駆動源と、前記電磁駆動源の一方向への回転駆動力により、前記シャッタ羽根を伴って作動させられる前記絞り羽根が前記絞り位置に位置付けられるとき、前記閉鎖位置へ向かうシャッタ羽根の移動を拮抗する付勢力により規制し、かつ、前記電磁駆動源から発せられる所定レベル以上の同一方向への回転駆動力により前記シャッタ羽根の規制を解除し得る規制手段と、を有する、
ことを特徴とするカメラ用シャッタ装置。
【請求項２】
前記規制手段は、前記絞り羽根が絞り位置にあるときに対応する中間位置と前記閉鎖位置との間に前記シャッタ羽根が位置する際に、前記シャッタ羽根を前記開放位置に向けて付勢するバネからなる、
ことを特徴とする請求項１記載のカメラ用シャッタ装置。
【請求項３】
前記電磁駆動源は、非通電状態で、前記シャッタ羽根を前記中間位置に保持するようにかつ前記絞り羽根を前記絞り位置に保持するように、磁気的に付勢されている、
ことを特徴とする請求項２記載のカメラ用シャッタ装置。
【請求項４】
前記電磁駆動源は、非通電状態で、前記シャッタ羽根を前記開放位置に保持するようにかつ前記絞り羽根を前記退避位置に保持するように、磁気的に付勢されている、
ことを特徴とする請求項２又は３に記載のカメラ用シャッタ装置。
【請求項５】
前記駆動制御機構は、前記電磁駆動源の制御を行なう制御手段を有し、
前記制御手段は、前記絞り羽根を前記絞り位置に移動させる際に、前記電磁駆動源に対して、複数回のパルス通電制御を行なう、
ことを特徴とする請求項１ないし４いずれかに記載のカメラ用シャッタ装置。
【請求項６】
前記駆動制御機構は、前記電磁駆動源の制御を行なう制御手段を有し、
前記制御手段は、前記絞り羽根を前記絞り位置に移動させる際に、前記電磁駆動源に対して、所定の通電時間において通電の大きさを減少させる通電制御を行なう、
ことを特徴とする請求項１ないし４いずれかに記載のカメラ用シャッタ装置。
【発明の詳細な説明】
【０００１】
【発明の属する技術分野】
本発明は、デジタルスチルカメラ等に搭載されるカメラ用シャッタ装置に関し、特に、露光用の開口部を開閉するシャッタ羽根と開口部の口径を絞る絞り羽根とを別々に独立して備えたカメラ用シャッタ装置に関する。
【０００２】
【従来の技術】
光を通過させる露光用の開口部を開閉するシャッタ羽根及び開口部の絞りを行なう絞り羽根を別々に備えた従来のカメラ用シャッタ装置としては、例えば特開平１０−２２１７４０号公報に記載されたものが知られている。
この公報に開示のカメラ用シャッタ装置は、露光用の開口部の外周領域において、開口部を開閉するように往復動自在に配置されたシャッタ羽根と、このシャッタ羽根を駆動する電磁駆動源と、開口部の絞り及びその解除を行なうように往復動自在に配置された絞り羽根と、この絞り羽根を駆動する電磁駆動源等を備えている。
【０００３】
そして、それぞれの電磁駆動源を起動させることにより、開口部を開放する開放位置と開口部を閉鎖する閉鎖位置との間を往復動させてシャッタ羽根に開閉動作を行なわせると共に、開口部を所定の口径に絞る絞り位置とその絞りを解除する退避位置との間を往復動させて絞り羽根に絞り動作を行なわせるようになっている。また、それぞれの電磁駆動源に通電しない非通電の状態で、開放位置及び閉鎖位置にシャッタ羽根を保持すると共に、絞り位置及び退避位置に絞り羽根を保持するように構成されている。
【０００４】
【発明が解決しようとする課題】
ところで、上記従来のカメラ用シャッタ装置においては、シャッタ羽根と絞り羽根とを駆動する駆動源としてそれぞれ別々の電磁駆動源を備えているため、複雑な連動機構等を用いることなくシャッタ羽根及び絞り羽根の駆動をそれぞれ別個に独立して行なうことができるものの、別々の電磁駆動源を備えるが故に、装置の大型化、重量化、高コスト化等を招き、又、電磁駆動源の個数に応じた消費電力の増加等を招くことになる。
また、絞り羽根等の駆動に際し、単に電磁駆動源を起動させて絞り羽根を移動させるだけでは、所定の絞り位置等に位置付ける際にバウンド現象等を招く場合があり、迅速な絞り動作を行なう際の応答性の面では好ましくない。
【０００５】
本発明は、上記従来技術の問題点に鑑みて成されたものであり、その目的とするところは、装置の複雑化を招くことなく、シャッタ羽根と絞り羽根とを連動させる構成を採用して、装置の小型化、軽量化、低コスト化等を図ると共に、シャッタ羽根及び絞り羽根に所望の機能を確実に行なわせることのできるカメラ用シャッタ装置を提供することにある。
【０００６】
【課題を解決するための手段】
本発明に係るカメラ用シャッタ装置は、露光用の開口部を備えた基板と、開口部の絞り位置と退避位置との間を移動可能に配された絞り羽根と、開口部の開放位置と閉鎖位置との間を移動可能に配されたシャッタ羽根と、シャッタ羽根及び絞り羽根を駆動制御する駆動制御機構とを備えたカメラ用シャッタ装置であって、上記駆動制御機構は、シャッタ羽根及び絞り羽根を連動させて駆動し得る単一の電磁駆動源と、電磁駆動源の一方向への回転駆動力により、シャッタ羽根を伴って作動させられる絞り羽根が絞り位置に位置付けられるとき、閉鎖位置へ向かうシャッタ羽根の移動を拮抗する付勢力により規制し、かつ、電磁駆動源から発せられる所定レベル以上の同一方向への回転駆動力によりシャッタ羽根の規制を解除し得る規制手段とを有する、ことを特徴としている。
【０００７】
この構成によれば、単一の電磁駆動源が起動されることにより、シャッタ羽根が開放位置から閉鎖位置へ又閉鎖位置から開放位置へ移動させられると共に、絞り羽根が退避位置から絞り位置へ又絞り位置から退避位置へ移動させられる。
ここで、例えば、絞りを行なわずにシャッタ動作が行なわれる作動モードでは、シャッタ羽根が開放位置に位置しかつ絞り羽根が退避位置に位置する状態から、電磁駆動源が所定レベル以上の一方向への回転駆動力を発生するように起動されることで、シャッタ羽根が閉鎖位置に移動させられると共に絞り羽根が絞り位置に移動させられる。尚、この際に、シャッタ羽根は途中の位置に留まることなく即座に閉鎖位置に移動させられるため、絞り羽根だけによる開口部の絞り動作は行なわれない。
一方、絞り羽根により絞り動作を行なった後にシャッタ動作が行なわれる作動モードでは、電磁駆動源が一方向に回転起動されることにより、絞り羽根が絞り位置に至り位置決めされると共に、規制手段による拮抗する付勢力が作用して、閉鎖位置へ向かうシャッタ羽根の移動が規制される。この絞り状態で、電磁駆動源により所定レベル以上の同一方向への回転駆動力が付与されると、その規制が解除されてシャッタ羽根のみが閉鎖位置へ移動させられる。上記両作動モードにおいては、電磁駆動源が逆向きに起動されることにより、シャッタ羽根が開放位置へ又絞り羽根が退避位置へそれぞれ移動させられる。
このように、シャッタ羽根と絞り羽根とを単一の電磁駆動源で駆動させ、かつ、この電磁駆動源の一方向への回転駆動力の大きさ如何により、シャッタ羽根の規制及びその解除を行なう規制手段を設けたことにより、シャッタ羽根及び絞り羽根の機能が確実に行なわれ、又、装置の小型化、軽量化等が行なえる。
【０００８】
上記構成において、規制手段は、絞り羽根が絞り位置にあるときに対応する中間位置と閉鎖位置との間にシャッタ羽根が位置する際に、シャッタ羽根を開放位置に向けて付勢するバネからなる、構成を採用することができる。
この構成によれば、シャッタ羽根が開放位置にかつ絞り羽根が退避位置にある状態で、単一の電磁駆動源が一方向に回転起動されることにより、シャッタ羽根を伴って作動する絞り羽根が絞り位置に位置決めされ、シャッタ羽根が開放位置から中間位置へ至ると、バネの付勢力によりそのさらなる移動が規制される。そして、電磁駆動源が通電されて所定レベル以上の同一方向への回転駆動力が付与されると、このバネの付勢力に抗してその規制が解除され、シャッタ羽根のみが閉鎖位置に移動させられる。このように、規制手段として、単品であるバネを採用したことにより、機能上の信頼性が向上すると共に装置の簡略化が行なわれる。
【０００９】
上記構成において、電磁駆動源は、非通電状態で、シャッタ羽根を中間位置に保持するようにかつ絞り羽根を絞り位置に保持するように、磁気的に付勢されている、構成を採用することができる。
この構成によれば、電磁駆動源が通電されて駆動力を発生し、シャッタ羽根が中間位置に又絞り羽根が絞り位置に至った時点で、電磁駆動源への通電が断たれる（非通電状態となる）と、電磁駆動源の磁気的付勢力と規制手段（バネ）との力関係、すなわち、この磁気的付勢力では規制が解除されず、その規制状態が保持される力関係により、シャッタ羽根が中間位置に保持されかつ絞り羽根が絞り位置に保持される。すなわち、電磁駆動源に通電しない非通電の状態で、絞り状態が保持されるため、その分だけ消費電力が低減される。
【００１０】
上記構成において、電磁駆動源は、非通電状態で、シャッタ羽根を開放位置に保持するようにかつ絞り羽根を退避位置に保持するように、磁気的に付勢されている、構成を採用することができる。
この構成によれば、電磁駆動源が通電されて駆動力を発生し、シャッタ羽根が開放位置に又絞り羽根が退避位置に至った時点で、電磁駆動源への通電が断たれる（非通電状態となる）と、電磁駆動源の磁気的付勢力により、シャッタ羽根が開放位置に保持されかつ絞り羽根が退避位置に保持される。すなわち、電磁駆動源に通電しない非通電の状態で、開放状態及び絞りの解除状態が保持されるため、その分だけ消費電力が低減される。
【００１１】
上記構成において、駆動制御機構が、電磁駆動源の制御を行なう制御手段を有し、この制御手段は、絞り羽根を絞り位置に移動させる際に、電磁駆動源に対して複数回のパルス通電制御を行なう、構成を採用することができる。
この構成によれば、電磁駆動源の駆動力により絞り羽根が絞り位置に移動させられる際に、複数回（例えば、２回）のパルス通電制御により、絞り羽根のバウンド現象が抑制される。すなわち、絞り羽根は、その挙動が短時間で収束し、絞り位置に迅速に位置決めされる。
【００１２】
また、上記構成において、駆動制御機構が、電磁駆動源の制御を行なう制御手段を有し、この制御手段は、絞り羽根を絞り位置に移動させる際に、電磁駆動源に対して所定の通電時間において通電の大きさを減少させる通電制御を行なう、構成を採用することができる。
この構成によれば、電磁駆動源の駆動力により絞り羽根が絞り位置に移動させられる際に、所定の通電時間において通電の大きさを減少させる（例えば、所定の通電時間においてステップ状にあるいは連続的に電流（電圧）を減少させる）通電制御により、絞り羽根のバウンド現象が抑制ないしは防止される。すなわち、絞り羽根は、その挙動が短時間で収束し、絞り位置に迅速に位置決めされる。
【００１３】
【発明の実施の形態】
以下、本発明の実施の形態について、添付図面を参照しつつ説明する。
図１ないし図９は、本発明に係るカメラ用シャッタ装置の一実施形態を示すものであり、図１は装置の平面図、図２は装置の内部を示す平面図、図３はシャッタ羽根及び絞り羽根を示す平面図、図４は電磁駆動源を示す周方向における展開断面図、図５は電磁駆動源の特性を説明する図、図６は規制手段と電磁駆動源とが及ぼす作用力の関係を示す図、図７はシャッタ羽根が開口部を開放しかつ絞り羽根が絞りを解除した状態を示す平面図、図８はシャッタ羽根が開口部を開放した中間位置にありかつ絞り羽根が開口部を絞った状態を示す平面図、図９はシャッタ羽根が開口部を閉鎖しかつ絞り羽根が開口部を絞った状態を示す平面図である。尚、上記図面の一部においては、説明の便宜上、構成部品の一部を省略して表しており、又、構成部品の一部において点線で示すべきところを実線にてあるいは二点鎖線で示すべきところを実線にて表している。
【００１４】
この実施形態に係るカメラ用シャッタ装置は、図１、図２、及び図４に示すように、装置の輪郭を画定する地板１０及び覆板２０と、これら地板１０と覆板２０との間に挟まれて光を通過させる露光用の開口部３０ａを形成する中間板３０と、開口部３０ａを開閉するシャッタ羽根４０と、所定の口径を得られるように開口を有する絞り羽根５０と、これらシャッタ羽根４０及び絞り羽根５０を所定のタイミングで移動させるべく駆動及び制御を行なう駆動制御機構（電磁駆動源６０、規制手段７０、種々の制御を司る制御手段（ＣＰＵ等））等を、その基本構成として備えている。
【００１５】
ここで、地板１０は、図１に示すように樹脂材料等により略矩形形状の輪郭をなすように成型されており、その表側中央部において、開口部３０ａを露出させるように形成された開口部１０ａを備えている。また、その裏側において、図４に示すようにシャッタ羽根４０及び絞り羽根５０の回動支点となる支持軸１０ｂ，１０ｃと、図２に示すように、シャッタ羽根４０の移動を規制する開き側のストッパ１０ｄ，１０ｅ及び閉じ側のストッパ１０ｆ、絞り羽根５０の移動を規制する絞り側のストッパ１０ｇ及び解除側のストッパ１０ｈ、絞り羽根５０を支持する支持リブ１０ｊ等を備えている。また、図１に示すように、電磁駆動源６０の一部をなす駆動ピン６１ａの移動を許容する切り欠き孔１０ｋ等を備えている。
【００１６】
覆板２０は、地板１０と同様の矩形形状の輪郭をなし、図４に示すように、地板１０に対して凹凸嵌合及び締結ねじ等により結合されており、この覆板２０と地板１０との間に中間板３０が挟持されている。そして、この中間板３０と地板１０との間の空間には、図４に示すように、規制手段としてのバネ７０等が配置されており、又、中間板３０と覆板２０との間に羽根室Ｗが画定され、この羽根室Ｗ内には、シャッタ羽根４０及び絞り羽根５０が配置されている。尚、この中間板３０は、主として羽根室Ｗを画定すると共に、口径が比較的に小さい開口部３０ａにより開口径を規制するものである。
【００１７】
シャッタ羽根４０は、図２及び図３（ａ），（ｂ）に示すように、第１シャッタ羽根４１と第２シャッタ羽根４２との２枚からなり、それぞれ遮蔽部４１ａ，４２ａと、支持軸１０ｂ，１０ｃに回動自在に支持される孔４１ｂ，４２ｂと、電磁駆動源６０の駆動ピン６１ａと係合する長孔４１ｃ，４２ｃ等により形成されている。
【００１８】
さらに、第１シャッタ羽根４１の長孔４１ｃ及び第２シャッタ羽根４２の長孔４２ｃには、電磁駆動源６０の駆動ピン６１ａが遊挿（移動自在に嵌合）されており、この駆動ピン６１ａが図２中下側に移動するとき、第１シャッタ羽根４１と第２シャッタ羽根４２とはそれぞれ回動して開口部３０ａを開放する開放位置に至り、一方、この駆動ピン６１ａが図２において上側に移動するとき、第１シャッタ羽根４１と第２シャッタ羽根４２とはそれぞれ回動して開口部３０ａを閉鎖する閉鎖位置に至る。
【００１９】
ここで、開放位置においては、図７に示すように、第１シャッタ羽根４１の縁部４１ｄがストッパ１０ｅに係合し、又、第２シャッタ羽根４２の縁部４２ｄがストッパ１０ｄに係合して、第１シャッタ羽根４１及び第２シャッタ羽根４２のそれ以上の開き方向への移動が規制されている。また、閉鎖位置においては、図９に示すように、第１シャッタ羽根４１の縁部４１ｅがストッパ１０ｆに係合して、第１シャッタ羽根４１及び第２シャッタ羽根４２のそれ以上の閉じ方向への移動が規制されている。
尚、第１シャッタ羽根４１及び第２シャッタ羽根４２は、連動関係にあるため、ストッパ１０ｄ，１０ｅのいずれか一方のみとしても、相互の羽根の移動を規制することができる。
【００２０】
絞り羽根５０は、図２及び図３（ｃ）に示すように、所定の口径に規定された開口５１ａを有する絞り部５１と、支持軸１０ｃに支持される孔５２と、電磁駆動源６０の駆動ピン６１ａと係合する係合孔５３と、後述するバネ８０が掛けられる長孔形状の架設孔５４等により形成されている。そして、図２に示すように、絞り羽根５０は、その孔５２が支持軸１０ｃにより回動自在に支持されている。また、この絞り羽根５０と第２シャッタ羽根４２との間には、図４に示すように、支持軸１０ｃに外嵌されたバネ８０が配されている。
【００２１】
すなわち、図２に示すように、バネ８０の一端部８１が絞り羽根５０の架設孔５４に、他端部８２が第２シャッタ羽根４２の縁部４２ｅに架設されており、支持軸１０ｃ回りにおいて、第２シャッタ羽根４２と絞り羽根５０とが常に互いに相反する方向付勢されているので、絞り羽根５０は第２シャッタ羽根４２の動きに追従が可能となる。
【００２２】
さらに、絞り羽根５０の係合孔５３には、図２に示すように、電磁駆動源６０の駆動ピン６１ａが遊挿（移動自在に嵌合）されており、絞り羽根５０が開口部３０ａ上に位置しないとき、バネ８０の付勢力により、係合孔５３の下側内縁部５３ａは駆動ピン６１ａに寄せられている。そして、この駆動ピン６１ａが図２において下側に移動するとき、第１シャッタ羽根４１及び第２シャッタ羽根４２の開き方向への（開放位置へ向かう）移動と共に、絞り羽根５０は反時計回りに回転し、図７に示すように、開口部３０ａを開放する退避位置に至る。一方、この駆動ピン６１ａが図２中上側に移動するとき、第１シャッタ羽根４１及び第２シャッタ羽根４２の閉じ方向への（閉鎖位置へ向かう）移動及びバネ８０の付勢力により、絞り羽根５０は時計回りに回転して、図２、図８、及び図９に示すように、開口部３０ａ上に位置し絞り位置に至る。
【００２３】
ここで、退避位置においては、絞り羽根５０は、駆動ピン６１ａの駆動力とバネ８０の付勢力とのバランスにより、所定の退避位置に留まることになるが、駆動ピン６１ａによる駆動力が大きくなった場合は、絞り羽根５０の左側縁部５５がストッパ１０ｈに係合して、一時的にその過移動が規制されることになる。
一方、絞り位置においては、図２、図８、及び図９に示すように、絞り羽根５０の右側縁部５６がストッパ１０ｇに係合して、それ以上の時計回りの回転が規制されている。
【００２４】
駆動制御機構の一部をなす電磁駆動源６０は、図１及び図４に示すように、所定の角度範囲に亘って回動自在に配置されたロータ６１と、励磁用のコイル６２と、磁路を形成するべく配置された円筒状のヨーク６３と、磁性材料からなる４本の磁性ピン６４（６４ａ，６４ｂ，６４ｃ，６４ｄ）と、これらの部品を担持する内側支持枠６５及び外側支持枠６６等により形成された所謂アイリスモータと呼ばれるムービングマグネット型の電磁アクチュエータである。
【００２５】
ロータ６１は、略円柱形状をなしており、図４に示すように、その駆動ピン６１ａが一体的に形成された回動軸６１ｂと、永久磁石部６１ｃ等により形成されている。ここで、回動軸６１ｂ及び駆動ピン６１ａは樹脂材料等により成型されており、永久磁石部６１ｃは、Ｎ極とＳ極とに着磁されている。そして、駆動軸６１ｂの両端部６１ｂ´，６１ｂ´´が、それぞれ外側支持枠６６の軸受け穴６６ａ及び内側支持枠６５の軸受け穴６５ａに回動自在に支持されている。
【００２６】
外側支持枠６６及び内側支持枠６５には、図４に示すように、断面矩形形状の溝６６ｂ，６５ｂが形成されコイル６２が巻回されている。また、この外側支持枠６６の外周面に円筒状のヨーク６３が外嵌されており、さらに、このヨーク６３の内側には、等間隔に（略９０°の角度をおいて）４本の磁性ピン６４（６４ａ，６４ｂ，６４ｃ，６４ｄ）が配置されている。尚、内側支持枠６５は、地板１０に形成された取り付けフランジ１０ｍに対して締結ねじ等により固着され、外側支持枠６６は、内側支持枠６５に対して連結爪等により固着されるようになっている。
【００２７】
ロータ６１の回転範囲と永久磁石部６１ｃによる磁力との関係は、図５（ａ）に示すように、シャッタ羽根４０が開放位置に位置しかつ絞り羽根５０が開口部３０ａから退避する退避位置に位置するとき、コイル６２に非通電の状態で、ロータ６１が時計回り方向に磁気的に付勢され、又、図５（ｂ）に示すように、絞り羽根５０が開口部３０ａに臨む絞り位置に位置しかつシャッタ羽根４０が開放位置から閉鎖位置へ向かう中間位置に位置するとき、コイル６２に非通電の状態で、ロータ６１が反時計回り方向に磁気的に付勢されている。
【００２８】
すなわち、ロータ６１は所定の作動角（ここでは、約３４°）の範囲を回動可能であり、シャッタ羽根４０及び絞り羽根５０の開放位置及び退避位置に対応する時計回り回転端に位置するとき、図５（ａ）に示すように、永久磁石部６１ｃのＮ極側は時計回り前方に位置する磁性ピン６４ａに引かれた位置にあり、又、永久磁石部６１ｃのＳ極側は時計回り前方に位置する磁性ピン６４ｂに引かれた位置にある。したがって、コイル６２に非通電の状態において、ロータ６１は、永久磁石部６１ｃと磁性ピンとの間に発生する磁気吸引力により、時計回り方向に付勢されることになる。これにより、非通電のままであってもシャッタ羽根４０及び絞り羽根５０をそれぞれ開放位置及び退避位置に保持できるので、消費電力を低減できる。
【００２９】
また、シャッタ羽根４０及び絞り羽根５０の中間位置及び絞り位置に対応する角度位置、すなわち、作動角の中心（ＣＰ）から反時計回りに所定角度（ここでは、約５°）回転した角度位置に位置するとき、図５（ｂ）に示すように、永久磁石部６１ｃのＮ極側は反時計回り前方に位置する磁性ピン６４ｄに引かれた位置にあり、又、永久磁石部６１ｃのＳ極側は反時計回り前方に位置する磁性ピン６４ｃに引かれた位置にある。この状態において、この中央点Ｐ１と磁性ピン６４ｄとの間で磁気吸引力を生じ、又、中央点Ｐ２と磁性ピン６４ｃとの間で磁気吸引力を生じる。したがって、コイル６２に非通電の状態において、ロータ６１は、永久磁石部６１ｃが発生する磁気吸引力により、反時計回り方向に付勢されることになる。これにより、非通電のままであってもシャッタ羽根４０及び絞り羽根５０をそれぞれ中間位置及び絞り位置に保持できるので、消費電力を低減できる。
【００３０】
駆動制御機構の一部をなす規制手段としてのバネ７０は、図２及び図４に示すように、地板１０に保持されて、第１シャッタ羽根４１に対して時計回りの付勢力を及ぼし得るように介在させられた捩りタイプのスプリングである。このバネ７０は、図４に示すように、支持軸１０ｂに外嵌され、図２に示すように、その一端部７１が地板１０の架設部１０ｎ（図４中に示された架設部１０ｎの位置は、図４が展開図であるため、図２に示された位置とは一致しない）に架設され、又、その他端部７２が地板１０の架設突起１０ｐに架設されると共に、この他端部７２に対して、第１シャッタ羽根４１の縁部４１ｅが係合及び離脱可能となっている。
【００３１】
すなわち、図７に示すように、第１シャッタ羽根４１及び第２シャッタ羽根４２が開放位置に位置しかつ絞り羽根５０が退避位置に位置する状態では、バネ７０の一方端部７１は架設部１０ｎと他端部７２は架設突起１０ｐと当接してそれ以上の広がりが規制されており、又、第１シャッタ羽根４１の縁部４１ｅはこの他端部７２から離脱した状態にある。
【００３２】
一方図２、図８に示すように、駆動ピン６１ａが反時計方向に回動し絞り羽根５０が開口部３０ａ上に臨む絞り位置に位置しかつ第１シャッタ羽根４１及び第２シャッタ羽根４２が中間位置に位置する状態では、バネ７０の他端部７２は架設突起１０ｐに当接してそれ以上の広がりが規制されており、又、第１シャッタ羽根４１の縁部４１ｅはこの他端部７２に係合（接触）するので、ロータ６１は磁気吸引力によりさらに反時計方向に回動しようとするが、バネ７０の付勢力により第１シャッタ羽根４１のさらなる反時計方向への回動が規制された状態にある。
【００３３】
さらに、図９に示すように、駆動ピン６１ａがさらに反時計方向に回動して絞り羽根５０が絞り位置に位置しかつ第１シャッタ羽根４１及び第２シャッタ羽根４２が閉鎖位置にある状態では、バネ７０の他端部７２は、第１シャッタ羽根４１の縁部４１ｅにより押されて架設突起１０ｐから離脱し、バネ７０は最大に変形させられる。
このバネ７０の付勢力は、その他端部７２が架設突起１０ｐに当接（係合）した状態を除いて、第１シャッタ羽根４１（及び第２シャッタ羽根４２）に作用する。
このように、規制手段として捩りタイプのバネ７０を採用することにより、装置全体の構造を簡略化することができ、それ故に、シャッタ羽根４０及び絞り羽根５０の本来の機能を確実に行なわせることができ、又、装置全体の小型化、軽量化等を行なうことができる。
【００３４】
上記バネ７０の付勢力と電磁駆動源６０の非通電時における磁気吸引力（磁力）との関係は、図６に示すような特性となる。すなわち、ロータ６１の作動角が約３４°（１７°＋１７°）であり、ロータ６１が回動範囲の時計方向回転端に位置するとき（シャッタ羽根４０が開放位置にかつ絞り羽根５０が退避位置に位置するとき）、ロータ６１にはシャッタ羽根４０を開く方向に磁気吸引力Ｆ１が生じる。
また、ロータ６１は、回動角度範囲の中心（作動中心：ＣＰ）から約６°時計回りに回転した位置に回転力を生じない平衡位置（磁力方向の切り替わり位置）があり、ロータ６１の作動中心から反時計回りに約５°回転したところが、絞り羽根５０の絞り位置（及びシャッタ羽根４０の中間位置）に対応している。この位置においては、ロータ６１にはシャッタ羽根４０を閉じる方向に磁気吸引力Ｆ２が生じ、又、バネ７０の他端部７２が僅かでも押されると、バネ７０にはシャッタ羽根４０を開く方向へと押し戻そうとするＦ３が生じる。
【００３５】
すなわち、この絞り位置においては、ロータ６１の閉じ方向への磁気吸引力Ｆ２とバネ７０の付勢力（バネ力）Ｆ３（＞Ｆ２）との力関係、すなわちバネ７０が変形しない限り、磁気吸引力Ｆ２だけでロータ６１はその位置に留まるという力関係により、シャッタ羽根４０は中間位置に保持され、絞り羽根５０は絞り位置に保持されることになる。
さらに、ロータ６１が作動中心から反時計回りに約１７°回転した回動範囲の反時計回り回転端に位置するとき（シャッタ羽根４０が閉鎖位置にかつ絞り羽根５０が絞り位置に位置するとき）、ロータ６１にはシャッタ羽根４０を閉じる方向に最も大きな磁気吸引力Ｆ６が生じていて、他方のバネ７０にはシャッタ羽根４０を開く方向に最も大きな付勢力（バネ力）Ｆ５が生じている。したがって、絞り位置から閉鎖位置の間においては、磁気吸引力Ｆ２と付勢力Ｆ３との合力としての付勢力Ｆ４が、シャッタ羽根４０を開く方向に作用する。
尚、上記磁気吸引力Ｆ１，Ｆ２，Ｆ６及び付勢力Ｆ３，Ｆ５の値については、例えば、Ｆ１とＦ２とを同一の値とし、Ｆ３をＦ２の２倍の値とし、Ｆ５をＦ２の約３倍の値とし、Ｆ６をＦ２の約２倍の値とすることができる。
【００３６】
次に、上記実施形態に係るカメラ用シャッタ装置を、例えば、デジタルスチルカメラに搭載した場合の動作について、図７ないし図９の動作図、及び図１０の制御タイムチャートを参照しつつ説明する。
尚、この実施形態に係るカメラ用シャッタ装置が搭載されるデジタルスチルカメラには、種々の制御を司る制御手段としての制御部（ＣＰＵ等）、撮像素子としてのＣＣＤ、ＣＣＤから出力された画像信号の記憶処理を行なう画像信号処理回路、シャッタのレリーズ動作を行なう際のシャッタレリーズスイッチ、メインスイッチ等が設けられている。
【００３７】
先ず、撮影者がメインスイッチをＯＮにすると、制御部から出力される制御信号によりＣＣＤがＯＮ状態になり作動させられる。このとき、シャッタ羽根４０は開口部３０ａを全開した開放位置（全開位置）に位置し、絞り羽根５０は開口部３０ａを絞らない退避位置に位置している。
すなわち、電磁駆動源６０のロータ６１は、図５（ａ）に示すように、非通電状態においてその磁気吸引力により時計方向に付勢されている。それ故に、図７に示すように、その駆動ピン６１ａが、第１シャッタ羽根４１の長孔４１ｃ、第２シャッタ羽根４２の長孔４２ｃ、及び絞り羽根５０の係合孔５３（下側内縁部５３ａ）を介して、第１シャッタ４１の縁部４１ｄをストッパ１０ｅに当接させ、又、第２シャッタ４２の縁部４２ｄをストッパ１０ｄに当接させて、第１シャッタ羽根４１及び第２シャッタ羽根４２を開放位置に位置決めして保持すると共に、駆動ピン６１ａを介してロータ６１自身もその角度位置に保持されている。また、絞り羽根５０は、バネ８０による時計方向の（絞り位置に向かう）付勢力と電磁駆動源６０による反時計方向の（退避位置に向かう）付勢力とのバランスにより、開口部３０ａの絞りを解除した退避位置に保持されている。
【００３８】
上記のように、開口部３０ａが開放された状態において、ＣＣＤに被写体光が到達し、ＣＣＤの出力信号に基づいて、制御部は適正な絞り値すなわち絞り羽根５０により絞りを行なうか否かの判断と露出時間（シャッタ秒時）を算出する。そして、絞り羽根５０による絞り動作を行なわない作動モードでは、図７に示す状態のまま撮影に備えて待機することになる。
ここで、レリーズ動作が行なわれると、制御部からの制御信号によりＣＣＤがリセットされる。続いて、ＣＣＤが電荷の蓄積を開始し、図１０（ａ）に示すように、所定時間（Ｔ）経過した時点で、電磁駆動源６０が（バネ７０の付勢力Ｆ５に打ち勝つ）所定レベル以上の駆動力を発生するように、コイル６２に所定方向の電流Ｉ１が所定時間（Ｔ１）流される。これにより、図７の状態から図９に示す状態に向かって、電磁駆動源６０のロータ６１が反時計回りに回転し、第１シャッタ羽根４１及び第２シャッタ羽根４２がそれぞれ直ちに閉鎖位置へと移動させられ、第１シャッタ羽根４１は縁部４１ｅがストッパ１０ｆに当接し停止する。この際に、絞り羽根５０は、バネ８０の付勢力により、絞り位置に移動させられ、その縁部５６がストッパ１０ｇに当接し停止する。
【００３９】
上記一連の動作においては、ＣＣＤが蓄積ＯＮ状態となってからシャッタ羽根４０により開口部３０ａが閉鎖されるまでの間が露出時間となる。続いて、制御部は画像信号処理回路等を介して撮影された画像の信号を取り込む制御を行ない、メモリカード等の記憶部に記憶させる。これにより、１回の撮影動作が完了する。
その後、制御部から出力される信号により、図１０（ａ）に示すように、電磁駆動源６０のコイル６２へ所定の電流Ｉ２が所定時間（Ｔ２）流された後、今度は逆向きの電流Ｉ３が所定時間（Ｔ３）だけ流される。と同時に、これにより図９の状態から図７に示す状態に向けて、電磁駆動源６０のロータ６１は時計回りに回転し、第１シャッタ羽根４１及び第２シャッタ羽根４２がそれぞれ直ちに開放位置へと移動させられる。そして、第１シャッタ羽根４１の縁部４１ｄがストッパ１０ｅに当接し又第２シャッタ羽根４２の縁部４２ｄがストッパ１０ｄに当接することで、それぞれ停止する。
この際に、絞り羽根５０は、駆動ピン６１ａがバネ８０の付勢力に抗して係合孔５３の下側内縁部５３ａを押すことで直ちに開口部３０ａから退避位置に移動させられる。
【００４０】
このように、シャッタ羽根４０が開放位置に、絞り羽根５０が退避位置に停止すると、電磁駆動源６０（コイル６２）への通電が断たれて非通電の状態となる。電磁駆動源６０には、図５（ａ）に示すように、時計回りの回転付勢力（磁気吸引力）が作用するため、シャッタ羽根４０及び絞り羽根５０は、それぞれ開放位置及び退避位置に保持されることになる。すなわち、シャッタ羽根４０及び絞り羽根５０を保持するために、磁気吸引力を利用しているため、通電の必要がなくその分だけ消費電量を低減することができる。
上記全開（開放位置）→全閉（閉鎖位置）→全開（開放位置）の制御シーケンスにおいて、通電時間Ｔ１，Ｔ２，Ｔ３としては、例えば、それぞれＴ１＝３０ｍｓ，Ｔ２＝３０ｍｓ，Ｔ３＝２０ｍｓの値を採用することができる。
【００４１】
一方、被写体光に曝されたＣＣＤの出力信号に基づいて、制御部が絞り羽根５０により絞りを行なうと判断した場合の作動モードでは、先ず、制御部から出力される信号により、電磁駆動源６０のコイル６２に対して、図１０（ｂ）に示すように、所定方向の電流Ｉ４が、周期（Ｔ４）で所定時間（Ｔ５）に亘り、複数回（ここでは、２回だけ）流される。すなわち、複数回（２回）のパルス通電制御が行なわれる。ここで、電流Ｉ４の値は、シャッタ羽根４０を閉鎖位置に移動させるときの電流Ｉ１よりも小さく、かつ、ロータ６１を反時計回りに回転させてシャッタ羽根４０を中間位置へ、すなわち、絞り羽根５０を絞り位置へ移動させることが可能な値である。
【００４２】
このパルス通電制御により、電磁駆動源６０のロータ６１が反時計回りに回転すると、第１シャッタ羽根４１が反時計回りに回転し始め又第２シャッタ羽根４２が時計回りに回転し始める。と同時に、絞り羽根５０がバネ８０により第２シャッタ羽根４２に追従して時計回りに回転し始める。そして、図８に示すように、第１シャッタ羽根４１の縁部４１ｅが、規制手段としてのバネ７０の他端部７２に当接（係合）した時点で、第１シャッタ羽根４１のそれ以上の反時計まわり回転が規制され、又、第２シャッタ羽根４２の回転が規制される。さらに、絞り羽根５０は縁部５６がストッパ１０ｇに当接（係合）して、それ以上の時計回り回転が規制される。
この絞り羽根５０の位置決めに際しては、電磁駆動源６０による複数回のパルス通電制御を行なうことにより、特に、絞り羽根５０の縁部５６がストッパ１０ｇに当接して停止する際に、図１２に示すように、大きなバウンド現象を生じることなく迅速に収束して所定位置に位置決めされる。
【００４３】
すなわち、絞り羽根５０は、開口部３０ａを所定の口径に絞る絞り位置に迅速に位置付けられ、又、シャッタ羽根４０（第１シャッタ羽根４１及び第２シャッタ羽根４２）は、開放位置から閉鎖位置へ向かう途中の位置に位置付けられ、図８に示す状態で撮影に備えて待機することになる。
ところで、この待機状態においては、電磁駆動源６０への通電が断たれて非通電の状態となっているが、電磁駆動源６０には、図５（ｂ）に示すように、反時計回りの回転付勢力（磁気吸引力）が作用しているため、シャッタ羽根４０及び絞り羽根５０は、それぞれ中間位置及び絞り位置に保持されることになる。
すなわち、シャッタ羽根４０及び絞り羽根５０を保持するために、磁気吸引力を利用しているため、通電の必要がなくその分だけ消費電量を低減することができる。
【００４４】
この待機状態で、レリーズ動作が行なわれると、制御部から出力される制御信号によりＣＣＤがリセットされる。続いて、ＣＣＤが電荷の蓄積を開始し、図１０（ｂ）に示すように、所定時間（Ｔ）経過した時点で、電磁駆動源６０が（バネ７０の付勢力Ｆ５に打ち勝つ）所定レベル以上の駆動力を発生するように、コイル６２に所定方向の電流Ｉ１が所定時間（Ｔ１）流される。
これにより、図８の状態から図９に示す状態に向けて、電磁駆動源６０のロータ６１が反時計回りに回転し、第１シャッタ羽根４１及び第２シャッタ羽根４２がそれぞれ閉鎖位置に移動させられ、第１シャッタ羽根４１の縁部４１ｅがストッパ１０ｆに当接し停止する。尚、このとき、駆動ピン６１ａは下側内縁部５３ａから離脱して係合孔５３内を自由走行するが、絞り羽根５０は縁部５６がストッパ１０ｇに当接しているため、絞り位置に保持されたままの状態となる。
【００４５】
上記一連の動作においては、ＣＣＤが蓄積ＯＮ状態となってからシャッタ羽根４０により開口部３０ａが閉鎖されるまでの間が露出時間となる。続いて、制御部は画像信号処理回路等を介して撮影された画像の信号を取り込む制御を行ない、メモリカード等の記憶部に記憶させる。これにより、１回の撮影動作が完了する。
その後、制御部から出力される信号により、電磁駆動源６０のコイル６２へ所定の電流Ｉ２が所定時間（Ｔ２）流された後、今度は逆向きの電流Ｉ３が所定時間（Ｔ３）だけ流される。と同時に、図９の状態から図７に示す状態に向けて、電磁駆動源６０のロータ６１は時計回りに回転し、第１シャッタ羽根４１及び第２シャッタ羽根４２がそれぞれ開放位置へと移動させられる。そして、第１シャッタ羽根４１の縁部４１ｄがストッパ１０ｅに当接し又第２シャッタ羽根４２の縁部４２ｄがストッパ１０ｄに当接することでそれぞれ停止する。この際に、絞り羽根５０は、駆動ピン６１ａがバネ８０の付勢力に抗して係合孔５３の下側内縁部５３ａを押すことで開口部３０ａから退避位置に移動させられる。
【００４６】
このように、シャッタ羽根４０が開放位置に、絞り羽根５０が退避位置に停止すると、電磁駆動源６０（コイル６２）への通電が断たれて非通電の状態となる。前述同様に、電磁駆動源６０における時計回りの磁気吸引力により、シャッタ羽根４０及び絞り羽根５０がそれぞれ保持されるため、通電の必要がなくその分だけ消費電量を低減することができる。
上記全開（開放位置）→絞り（絞り位置）→全閉（閉鎖位置）→全開（開放位置）の制御シーケンスにおいて、通電時間Ｔ１，Ｔ２，Ｔ３，Ｔ５及び周期Ｔ４としては、例えば、それぞれＴ１＝３０ｍｓ，Ｔ２＝３０ｍｓ，Ｔ３＝２０ｍｓ，Ｔ５＝２ｍｓ，Ｔ４＝５ｍｓの値を採用することができる。また、上記パルス通電制御のパルスの回数は、２回に限るものではなく、必要に応じて３回、４回等複数回のパルス通電制御を採用することができる。
【００４７】
以上の制御シーケンスにより、開口部３０ａが再び開放されて、ＣＣＤに被写体光が届くと、このＣＣＤの出力信号に基づいて、制御部は適正な絞り値すなわち絞り羽根５０により絞りを行なうか否かの判断と露出時間（シャッタ秒時）を算出する。そして、絞り羽根５０による絞り動作を行なわない作動モードでは、図７に示す状態で撮影に備えて待機し、又、絞り羽根５０による絞り動作を行なう作動モードでは、図８に示す状態で撮影に備えて待機することになる。
【００４８】
図１１は、本実施形態に係るカメラ用シャッタ装置の動作を制御する場合の他の制御シーケンスを示すタイムチャートである。この制御シーケンスでは、被写体光に曝されたＣＣＤの出力信号に基づいて、制御部が適正な絞り値すなわち絞り羽根５０により絞りを行なうか否かの判断をし、絞りを行なわない作動モードでは前述の制御シーケンスと同様であり、絞りを行なうと判断した場合の制御動作のみが異なるため、この制御動作についてのみ説明する。
【００４９】
すなわち、被写体光に曝されたＣＣＤの出力信号に基づいて、制御部が絞り羽根５０により絞りを行なうと判断した場合の作動モードでは、先ず、制御部から出力される信号により、電磁駆動源６０のコイル６２に対して、図１１（ｂ）に示すように、所定方向の電流Ｉ５が所定時間（Ｔ６）だけ流され、続いて、この電流Ｉ５よりも小さい電流Ｉ６が所定時間（Ｔ７）だけ流される。
すなわち、所定の通電時間（Ｔ６＋Ｔ７）において、通電の大きさを電流Ｉ５から電流Ｉ６にステップ的に減少させる通電制御が行なわれる。ここで、電流Ｉ５，Ｉ６の値、特に電流Ｉ６の値は、シャッタ羽根４０を閉鎖位置に移動させるときの電流Ｉ１よりも小さく、かつ、ロータ６１を反時計回りに回転させてシャッタ羽根４０を中間位置へ、すなわち、絞り羽根５０を絞り位置へ移動させることが可能な値である。
【００５０】
このステップ的に通電の大きさを減少させる通電制御により、電磁駆動源６０のロータ６１が反時計回りに回転すると、第１シャッタ羽根４１、第２シャッタ羽根４２が回転し始める。と同時に、絞り羽根５０がバネ８０の付勢力により第２シャッタ羽根４２に追従して回転し始める。
そして、図８に示すように、第１シャッタ羽根４１の縁部４１ｅが、規制手段としてのバネ７０の他端部７２に当接（係合）した時点で、第１シャッタ羽根４１のそれ以上の反時計まわり回転が規制され、又、第２シャッタ羽根４２の回転が規制される。さらに、絞り羽根５０は縁部５６がストッパ１０ｇに当接（係合）して、それ以上の時計回り回転が規制される。
この絞り羽根５０の位置決めに際しては、電磁駆動源６０によるステップ的に減じる通電制御を行なうことにより、特に、絞り羽根５０の縁部５６がストッパ１０ｇに当接して停止する際に、図１２に示すように、大きなバウンド現象を生じることなく、迅速に収束して所定位置に位置決めされる。
【００５１】
すなわち、絞り羽根５０は、開口部３０ａを所定の口径に絞る絞り位置に迅速に位置付けられ、又、シャッタ羽根４０（第１シャッタ羽根４１及び第２シャッタ羽根４２）は、開放位置から閉鎖位置へ向かう途中の位置に位置付けられ、図８に示す状態で撮影に備えて待機することになる。
ところで、この待機状態においては、電磁駆動源６０への通電が断たれて非通電の状態となっているが、電磁駆動源６０には、図５（ｂ）に示すように、反時計回りの回転付勢力（磁気吸引力）が作用しているため、シャッタ羽根４０及び絞り羽根５０は、それぞれ中間位置及び絞り位置に保持されることになる。
すなわち、シャッタ羽根４０及び絞り羽根５０を保持するために、磁気吸引力を利用しているため、通電の必要がなくその分だけ消費電量を低減することができる。
【００５２】
この待機状態で、レリーズ動作が行なわれると、前述の制御シーケンスと同様に、制御部から出力される制御信号によりＣＣＤがリセットされる。続いて、ＣＣＤが電荷の蓄積を開始し、図１１（ｂ）に示すように、所定時間（Ｔ）経過した時点で、電磁駆動源６０が（バネ７０の付勢力Ｆ５に打ち勝つ）所定レベル以上の駆動力を発生するように、コイル６２に所定方向の電流Ｉ１が所定時間（Ｔ１）流される。
これにより、図８の状態から図９に示す状態に向けて、電磁駆動源６０のロータ６１が反時計回りに回転し、絞り羽根５０が絞り位置に保持されて位置決めされたままの状態で、第１シャッタ羽根４１及び第２シャッタ羽根４２が閉鎖位置に移動させられる。と同時に、第１シャッタ羽根４１は縁部４１ｅがストッパ１０ｆに当接し停止する。
【００５３】
この後、前述の制御シーケンスと同様に、撮影画像がメモリカード等に記憶された後、制御部から出力される信号により、電磁駆動源６０のコイル６２へ所定の電流Ｉ２が所定時間（Ｔ２）流された後、今度は逆向きの電流Ｉ３が所定時間（Ｔ３）だけ流され、シャッタ羽根４０が開放位置に又絞り羽根５０が退避位置まで移動させられ、電磁駆動源６０（コイル６２）への通電が断たれて非通電の状態となり、開口部３０ａが再び開放されて、ＣＣＤに被写体光が届くと、このＣＣＤの出力信号に基づいて、制御部は絞り羽根５０により絞りを行なうか否かの判断等を演算する。
【００５４】
その後、絞り羽根５０による絞り動作を行なわない作動モードでは、図７に示す状態で撮影に備えて待機し、又、絞り羽根５０による絞り動作を行なう作動モードでは、図８に示す状態で撮影に備えて待機することになる。
上記全開（開放位置）→絞り（絞り位置）→全閉（閉鎖位置）→全開（開放位置）の制御シーケンスにおいて、通電時間Ｔ１，Ｔ２，Ｔ３，Ｔ６，Ｔ７としては、例えば、それぞれＴ１＝３０ｍｓ，Ｔ２＝３０ｍｓ，Ｔ３＝２０ｍｓ，Ｔ６＝６ｍｓ，Ｔ７＝４ｍｓの値を採用することができる。
【００５５】
上記の実施形態においては、本発明のカメラ用シャッタ装置をデジタルスチルカメラに搭載した場合について示したが、これに限るものではなく、銀塩フィルムカメラ等その他のカメラに対して搭載することは勿論可能である。
また、上記実施形態に係るカメラ用シャッタ装置においては、シャッタ羽根４０として第１シャッタ羽根４１及び第２シャッタ羽根４２の２枚から構成されるものを採用したが、これに限るものではなく、１枚あるいは３枚以上のシャッタ羽根からなるものを採用することも可能である。
さらに、規制手段としてのバネ７０としては、捩りタイプのバネを採用したが、これに限るものではなく、同様の機能を果たすものであれば、圧縮バネあるいは引張バネ等を採用することも可能である。
【００５６】
【発明の効果】
以上述べたように、本発明のカメラ用シャッタ装置によれば、シャッタ羽根及び絞り羽根を所定のタイミングで移動させるべく駆動及び制御を行なう駆動制御機構として、シャッタ羽根及び絞り羽根を連動させて駆動し得る単一の電磁駆動源と、絞り羽根が絞り位置に位置付けられるとき、閉鎖位置へ向かうシャッタ羽根の移動を規制すると共に電磁駆動源から発せられる所定レベル以上の駆動力によりその規制を解除し得る規制手段とを採用したことにより、シャッタ羽根と絞り羽根とを単一の電磁駆動源で駆動させ、かつ、この電磁駆動源の駆動力如何により、規制手段を作動させてシャッタ羽根の規制及びその解除を行なうことができる。
これにより、シャッタ羽根及び絞り羽根の機能を確実に行なわせることができ又、装置の小型化、軽量化等を行なうことができる。
【００５７】
また、規制手段として単品であるバネを採用することにより、機能上の信頼性を向上させ、又、装置の簡略化を行なうことができる。
また、電磁駆動源への非通電状態で、シャッタ羽根及び絞り羽根を、中間位置及び絞り位置に又開放位置及び退避位置に保持するようにして待機させることにより、一連のシーケンスの中で時間的に最も長くなる状態が非通電とされるが故に、消費電力が低減され、電源の長寿命化等を行なうことができる。
さらに、電磁駆動源により、絞り羽根を絞り位置に移動させる際に、複数回のパルス通電制御あるいは所定の通電時間において通電の大きさを減少させる（例えば、所定の通電時間においてステップ状にあるいは連続的に電流（電圧）を減少させる）通電制御を行なうことにより、絞り羽根のバウンド現象を抑制ないしは防止できる。これにより、絞り羽根を迅速に絞り位置に位置決めすることができる。
【図面の簡単な説明】
【図１】本発明に係るカメラ用シャッタ装置の一実施形態を示す概観平面図である。
【図２】本発明に係るカメラ用シャッタ装置の内部構造を示す平面図である。
【図３】本発明に係るカメラ用シャッタ装置の一部をなすシャッタ羽根及び絞り羽根を示すものであり、（ａ）及び（ｂ）は第１シャッタ羽根及び第２シャッタ羽根を示す平面図、（ｃ）は絞り羽根を示す平面図である。
【図４】本発明に係るカメラ用シャッタ装置の一部をなす電磁駆動源を示す展開断面図である。
【図５】電磁駆動源の特性を説明する図であり、（ａ）はシャッタ羽根及び絞り羽根を開放位置及び退避位置に向けて付勢する磁気吸引力が作用する状態を示す平面図であり、（ｂ）はシャッタ羽根及び絞り羽根を中間位置及び絞り位置に向けて付勢する磁気吸引力が作用する状態を示す平面図である。
【図６】規制手段としてのバネと電磁駆動源とが及ぼす作用力の関係を示す図である。
【図７】シャッタ羽根が開口部を開放した開放位置に位置しかつ絞り羽根が絞りを解除した退避位置に位置する状態を示す平面図である。
【図８】シャッタ羽根が中間位置に位置しかつ絞り羽根が開口部を絞った絞り位置に位置する状態を示す平面図である。
【図９】シャッタ羽根が開口部を閉鎖した閉鎖位置に位置しかつ絞り羽根が開口部を絞った絞り位置に位置する状態を示す平面図である。
【図１０】本発明に係るカメラ用シャッタ装置の動作を制御する制御シーケンスの一実施形態を示すタイムチャートであり、（ａ）は絞り動作を行なわない作動モードにおけるタイムチャート、（ｂ）は絞り動作を行なう作動モードにおけるタイムチャートである。
【図１１】本発明に係るカメラ用シャッタ装置の動作を制御する制御シーケンスの他の実施形態を示すタイムチャートであり、（ａ）は絞り動作を行なわない作動モードにおけるタイムチャート、（ｂ）は絞り動作を行なう作動モードにおけるタイムチャートである。
【図１２】図１０及び図１２に示す通電制御による絞り羽根の動特性を示す図である。
【符号の説明】
１０  地板
１０ａ  開口部、１０ｂ，１０ｃ  支持軸、
１０ｄ，１０ｅ，１０ｆ，１０ｇ，１０ｈ，  ストッパ、
１０ｎ  架設部、  １０ｐ  架設突起
２０  覆板
３０  中間板
３０ａ  開口部
４０  シャッタ羽根
４１  第１シャッタ羽根
４１ｂ  孔、  ４１ｃ  長孔、  ４１ｄ，４１ｅ  縁部
４２  第２シャッタ羽根
４２ｂ  孔、  ４２ｃ  長孔、  ４２ｄ，４２ｅ  縁部
５０  絞り羽根
５１ａ  開口（絞り）
５２  孔
５３  係合孔
５３ａ  下側内縁部
５６  縁部
６０  電磁駆動源
６１  ロータ
６１ａ  駆動ピン、６１ｃ  永久磁石部
６２  コイル
６３  ヨーク
６４（６４ａ，６４ｂ，６４ｃ，６４ｄ）  磁性ピン
７０  バネ（規制手段）
７２  他端部
８０  バネ
【図１】
0003542316.tif 000002
【図２】
0003542316.tif 000003
【図３】
0003542316.tif 000004
【図４】
0003542316.tif 000005
【図５】
0003542316.tif 000006
【図６】
0003542316.tif 000007
【図７】
0003542316.tif 000008
【図８】
0003542316.tif 000009
【図９】
0003542316.tif 000010
【図１０】
0003542316.tif 000011
【図１１】
0003542316.tif 000012
【図１２】
0003542316.tif 000013